(57)【要約】      （修正有）【課題】アウトドアなどの使用環境でもクレジットカード、ＩＣカード、紙幣などを収納できる収納部を備えながら、スマートフォンなどの携帯情報端末を収納した状態でも、携帯情報端末の視認性や操作性を維持しつつ、浸水による水没などを回避することができる携帯情報端末用防水ケースを提供する。【解決手段】外形を形成する本体部１と、携帯情報端末を収納するための携帯情報端末収納部２と、小物などを収納するための小物収納部３と、を備える可撓性を有する防水性材料で形成された携帯情報端末用防水ケース１００であって、携帯情報端末収納部２及び小物収納部３は、本体部１の内面に形成され、本体部１は携帯情報端末収納部２と小物収納部３とを対向して閉じるように形成され、携帯情報端末収容部２は閉塞可能な第一開口部６を有し、携帯情報端末のタッチパネルの領域と少なくとも重なる部分を透明とする。【選択図】図１
0003204509.tif 000002
【実用新案登録請求の範囲】
【請求項１】
外形を形成する本体部と、携帯情報端末を収納するための携帯情報端末収納部と、小物などを収納するための小物収納部と、を備える可撓性を有する防水性材料で形成された携帯情報端末用防水ケースであって、
前記携帯情報端末収納部及び前記小物収納部は、前記本体部の内面に形成され、
前記本体部は前記携帯情報端末収納部と前記小物収納部とを対向して閉じるように形成され、
前記携帯情報端末収容部は閉塞可能な第一開口部を有し、前記携帯情報端末のタッチパネルの領域と少なくとも重なる部分を透明とすることを特徴とする携帯情報端末用防水ケース。
【請求項２】
前記小物用収納部は閉塞可能な第二開口部を備えることを特徴とする請求項１に記載の携帯情報端末用防水ケース。
【請求項３】
前記可撓性を有する防水性材料が軟質樹脂であることを特徴とする請求項１又は２に記載の携帯情報端末用防水ケース。
【請求項４】
前記小物収納部が携帯情報端末収納部として形成さることを特徴とする請求項１〜３の何れか一項に記載の携帯情報端末用防水ケース。
【請求項５】
前記第一開口部及び／又は前記第二開口部は、前記携帯情報端末収容部の端部の短手方向及び該短手方向から連続して長手方向の少なくとも一部に設けられることを特徴とする請求項２〜４の何れか一項に記載の携帯情報端末用防水ケース。
【請求項６】
前記第一開口部及び／又は前記第二開口部は閉塞可能なジッパーを備えることを特徴とする請求項２〜５の何れか一項に記載の携帯情報端末用防水ケース。
【請求項７】
前記第一開口部及び／又は前記第二開口部は開口部を容易に開放するための開放部材を備えることを特徴とする請求項２〜６の何れか一項に記載の携帯情報端末用防水ケース。
【請求項８】
前記本体部を閉じた状態で係止する係止部を備えることを特徴とする請求項１〜７の何れか一項に記載の携帯情報端末用防水ケース。
【考案の詳細な説明】
【技術分野】
【０００１】
本考案は、スマートフォン、タブレット等の携帯情報端末を水没などによる浸水から回避するための防水性を確保する携帯情報端末用防水ケースに関する。
【背景技術】
【０００２】
近年、スマートフォンやタブレット等の携帯情報端末が普及し、一般的な使用環境だけでなく、川辺、海辺等のアウトドアや、風呂場での使用環境が増えている。携帯情報端末には簡易防水機能を備えるものが多いが、アウトドアや風呂場での使用では、水を被ったり、水没したりして、携帯情報端末の故障を招くことがある。
【０００３】
このような状況下でも携帯情報端末を使用することができるように、例えば、特許文献１では、二つ折可能に形成された透明プラスチックシートにより形成され電子機器を膨出凹部に収納保持するブリスタケースと、ブリスタケースの外縁部を挟み込む溝を有する保持フレームとを備える電子機器用の防水ケースが開示されている。
【先行技術文献】
【特許文献】
【０００４】
【特許文献１】特開２０１３−１５６３３６号公報
【考案の概要】
【考案が解決しようとする課題】
【０００５】
しかしながら、特許文献１に記載の電子機器用の防水ケースでは、特許文献１の図１及び図２に示されるように、電子機器を収納するためのブリスタケースと、ブリスタケースの外縁部を挟み込む溝を有する保持フレームとを備えるため、比重が重くなってしまう。このため、例えば、海水浴などで誤って落としてしまうと、すぐに水中に沈んでしまうという問題があった。また、当然に小物を収納するための収納部を備えていないために、クレジットカードやＩＣカード、小銭などを収納することができなかった。
【０００６】
本考案は、上記問題点に鑑みてなされたものであり、アウトドアなどの使用環境でもクレジットカード、ＩＣカード、紙幣などを収納できる収納部を備えながら、スマートフォンなどの携帯情報端末を収納した状態でも、携帯情報端末の視認性や操作性を維持しつつ、浸水による水没などを回避することができる携帯情報端末用防水ケースを提供することを目的とする。
【課題を解決するための手段】
【０００７】
即ち、本考案は以下の考案を含む。
[考案１]
外形を形成する本体部と、携帯情報端末を収納するための携帯情報端末収納部と、小物などを収納するための小物収納部と、を備える可撓性を有する防水性材料で形成された携帯情報端末用防水ケースであって、
前記携帯情報端末収納部及び前記小物収納部は、前記本体部の内面に形成され、
前記本体部は前記携帯情報端末収納部と前記小物収納部とを対向して閉じるように形成され、
前記携帯情報端末収容部は閉塞可能な第一開口部を有し、前記携帯情報端末のタッチパネルの領域と少なくとも重なる部分を透明とすることを特徴とする携帯情報端末用防水ケース。
[考案２]
前記小物用収納部は閉塞可能な第二開口部を備えることを特徴とする考案１に記載の携帯情報端末用防水ケース。
[考案３]
前記可撓性を有する防水性材料が軟質樹脂であることを特徴とする考案１又は２に記載の携帯情報端末用防水ケース。
[考案４]
前記小物収納部が携帯情報端末収納部として形成さることを特徴とする考案１〜３の何れか一つの考案に記載の携帯情報端末用防水ケース。
[考案５]
前記第一開口部及び／又は前記第二開口部は、前記携帯情報端末収容部の端部の短手方向及び該短手方向から連続して長手方向の少なくとも一部に設けられることを特徴とする考案２〜４の何れか一つの考案に記載の携帯情報端末用防水ケース。
[考案６]
前記第一開口部及び／又は前記第二開口部は閉塞可能なジッパーを備えることを特徴とする考案２〜５の何れか一つの考案に記載の携帯情報端末用防水ケース。
[考案７]
前記第一開口部及び／又は前記第二開口部は開口部を容易に開放するための開放部材を備えることを特徴とする考案２〜６の何れか一つの考案に記載の携帯情報端末用防水ケース。
[考案８]
前記本体部を閉じた状態で係止する係止部を備えることを特徴とする考案１〜７の何れか一つの考案に記載の携帯情報端末用防水ケース。
【考案の効果】
【０００８】
本考案の携帯情報端末用防水ケースは、本体部の内面の一方に携帯情報端末を収納するための携帯情報端末収納部を備え、携帯情報端末のタッチパネルの領域と少なくとも重なる部分を透明としているため、携帯情報端末を携帯情報端末収納部の内部に収納した状態でも携帯情報端末を操作することができ、水中に落としたとしても携帯情報端末の水没による故障を回避することができる。また、本体部の内面の他方に小物などを収納するための小物収納部を備えるため、クレジットカード、ＩＣカード、紙幣などを一緒に携帯することができ、アウトドアなどに行く際に非常に便利である。
【図面の簡単な説明】
【０００９】
【図１】図１は本考案が適用された第一実施形態の携帯情報端末用防水ケースの外観斜視図である。
【図２】図２は図１の第一実施形態の携帯情報端末用防水ケースをＡ−Ａ’で切断した際の矢印方向に見た断面図であり、（a）は携帯情報端末が入っていない場合の断面図であり、（ｂ）は携帯情報端末が入っている場合の断面図である。
【図３】図３は本考案が適用された第二実施形態の携帯情報端末用防水ケースの外観斜視図である。
【図４】図４は図３の第二実施形態の携帯情報端末用防水ケースをＢ−Ｂ’で切断した際の矢印方向に見た断面図であり、（a）は携帯情報端末が入っていない場合の断面図であり、（ｂ）は携帯情報端末が入っている場合の断面図である。
【考案を実施するための形態】
【００１０】
以下、本考案に係る携帯情報端末用防水ケースに関する実施形態を図１〜図４に基づいて説明する。ただし、本考案は、以下に説明する実施形態や図面に記載される構成に限定されることを意図しない。
【００１１】
＜第一実施形態＞
図１は本考案が適用された第一実施形態の携帯情報端末用防水ケース１００の外観斜視図である。図２は図１の第一実施形態の携帯情報端末用防水ケース１００をＡ−Ａ’で切断した際の矢印方向に見た断面図であり、（a）は携帯情報端末が入っていない場合の断面図であり、（ｂ）は携帯情報端末が入っている場合の断面図である。携帯情報端末用防水ケース１００は、図１に示すように、外形を形成する本体部１と、携帯情報端末を収納するための携帯情報端末収納部２と、小物などを収納するための小物収納部３と、を備え、可撓性を有する防水性材料で構成されている。携帯情報端末用防水ケース１００で使用される可撓性を有する防水性材料としては、例えば、ポリエチレン、ポリプロピレン、ナイロン、塩化ビニル、ポリエチレンテレフタレート、ポリカーボネート等の防水性又は撥水性を有する軟質樹脂を挙げることができる。
【００１２】
本体部１は携帯情報端末用防水ケース１００の外形を形成しており、当該本体部１の内面に携帯情報端末収納部２及び小物収納部３が設けられている。本体部１は、図１に示すように携帯情報端末収納部２と小物収納部３とを対向して閉じ、重なるように形成されている。本実施形態では、本体部１の長手方向の略中央部で短手方向に沿って、折り曲げ可能に形成されている。さらに携帯情報端末収納部２と小物収納部３とがほぼ同じサイズとなるように形成されているため、手帳のように重なるように閉じることができる。
【００１３】
本体部１には、携帯情報端末収納部２と小物収納部３とが重なるように閉じた状態で、係止するための係止部４を設けてもよい。係止部４は、携帯情報端末収納部２と小物収納部３とを閉じた際に係止できるものであればよい。本実施形態では、係止部４は、図１に示すように、小物収納部３側の本体部１の周縁部から帯状に延設され、携帯情報端末収納部２における本体部１の外表面の一部と係止する。係止部４の先端及び本体部１の外表面には、磁石が設けられており、係止部４の先端及び本体部１の外表面が引き合って係止する。これにより、本体部１が閉じた状態を維持することができ、携帯情報端末のタッチパネル部分を保護することができる。本実施形態では、係止部４は小物収納部３側の本体部１の周縁部から帯状に延設されているが、携帯情報端末収納部２側の本体部１の周縁部から帯状に延設されてもよい。
【００１４】
本実施形態では、本体部１に携帯情報端末収納部２及び小物収納部３が設けられているが、携帯情報端末収納部２と小物収納部３との間に重なるように、さらにＩＣカードや名刺入れ等の小物入れ、携帯情報端末収納部等を設けるようにしてもよい。これにより携帯情報端末用防水ケース１００の収納力がアップすることになる。本体部１には、吊下げ部材を取り付けるための円孔５を設けてもよい。円孔５は携帯情報端末収納部２と小物収納部３との間の本体部１に形成されることが好ましい。これにより、携帯情報端末収納部２及び小物収納部３と接触せず容易に吊下げ部材を取り付けることができる。本体部１の外表面は、絵柄などをプリントすることができるため、デザイン性に富んだものにすることができる。
【００１５】
携帯情報端末収納部２は閉塞可能な第一開口部６を有し、携帯情報端末を出し入れすることができる。第一開口部６は、携帯情報端末収納部２の端部の少なくとも何れかに形成されていればよく、本実施形態では、図１に示すように、携帯情報端末収納部２の端部の短手方向に設けられている。第一開口部６は防水機構を備えているため、携帯情報端末収納部２は外部からの水の侵入を防止することができる。第一開口部６の防水機構としては、浸水を防止できるものであればよいが、閉塞可能なジッパー７が好ましい。これにより、携帯情報端末を第一開口部６から容易に出し入れすることができる。閉塞可能なジッパー７は、図２（ａ）及び（ｂ）に示すように、内表面の一方に凹部７ａと内表面の他方に凸部７ｂが対向するように形成され、凹部７ａと凸部７ｂとが嵌合することで、携帯情報端末収納部２の気密性が保たれ、外部からの水の侵入を防止している。
【００１６】
携帯情報端末収納部２は、携帯情報端末のタッチパネル領域と少なくとも重なる部分が透明となるように形成されている。本明細書で透明とは、半透明で中身を視認できるものも含む。透明となるように形成された部分は、外表面に作用する圧力や静電容量の変化を内表面に伝達できる素材で形成されている。これにより、携帯情報端末収納部２の内部に収納された携帯情報端末の画面８を外部から視認できるとともに、操作することができる。
【００１７】
携帯情報端末収納部２は、携帯情報端末のカメラ部分と重なる部分が透明となるように形成されることが好ましい。これにより、写真などを撮影するときに携帯情報端末収納部２から携帯情報端末を取り出したりする必要がなくなる。また、携帯情報端末収納部２の内部に乾燥剤を入れるポケット等を設けることもできる。これにより、カメラの部分が曇って、撮影に影響が出ることを防止することができる。
【００１８】
小物収納部３は、閉塞可能な第二開口部９を有し、クレジットカード、ＩＣカード、紙幣、硬貨などの小物を収納することができる。第二開口部９は、携帯情報端末収納部２の端部の少なくとも何れかに形成されていればよく、本実施形態では、図１に示すように、携帯情報端末収納部２の長手向に設けられている。第二開口部９は防水機構を備えているため、小物収納部３は外部からの水の侵入を防止することができる。第二開口部９の防水機構としては、第一開口部６と同じ、閉塞可能なジッパー７を利用することができる。これにより、クレジットカード、ＩＣカード、紙幣、硬貨などの小物を容易に出し入れすることができる。
【００１９】
＜第二実施形態＞
図３は本考案が適用された第二実施形態の携帯情報端末用防水ケース２００の外観斜視図である。図４は図３の第二実施形態の携帯情報端末用防水ケース２００をＢ−Ｂ’で切断した際の矢印方向に見た断面図であり、（a）は携帯情報端末が入っていない場合の断面図であり、（ｂ）は携帯情報端末が入っている場合の断面図である。携帯情報端末用防水ケース２００は、図３に示すように、外形を形成する本体部１０と、携帯情報端末を収納するための第一携帯情報端末収納部１１と、他の携帯情報端末を収納するための第二携帯情報端末収納部１２と、を備え、可撓性を有する防水性材料で構成されている。本実施形態では、第一実施形態の小物収納部３が第二携帯情報端末収納部１２として形成されている。携帯情報端末用防水ケース２００で使用される可撓性を有する防水性材料としては、第一実施形態と同じものを好適に使用することができる。
【００２０】
本体部１０は携帯情報端末用防水ケース２００の外形を形成しており、当該本体部１０の内面に第一携帯情報端末収納部１１及び第二携帯情報端末収納部１２が設けられている。本体部１０は、図３に示すように、第一携帯情報端末収納部１１と第二携帯情報端末収納部１２とを対向して閉じ、重なるように形成されている。本実施形態では、本体部１０の長手方向の略中央部で短手方向に沿って、折り曲げ可能に形成されている。さらに第一携帯情報端末収納部１１と第二携帯情報端末収納部１２とがほぼ同じサイズとなるように構成されているため、手帳のように重なるように閉じることができる。
【００２１】
本体部１０には、第一携帯情報端末収納部１１と第二携帯情報端末収納部１２とが重なるように閉じた状態で、係止するための係止部１３を設けてもよい。係止部１３は、第一携帯情報端末収納部１１と第二携帯情報端末収納部１２とを閉じた際に係止できるものであればよい。本実施形態では、係止部１３は、図３に示すように、第二携帯情報端末収納部１２側の本体部１０の周縁部から帯状に延設され、第一携帯情報端末収納部１１における本体部１０の外表面の一部と係止する。係止部１３の先端及び本体部１０の外表面には、磁石が設けられており、係止部１３の先端及び本体部１の外表面が引き合って係止する。これにより、本体部１０が閉じた状態を維持することができ、携帯情報端末のタッチパネル部分を保護することができる。本実施形態では、係止部１３は第二携帯情報端末収納部１２側の本体部１０の周縁部から帯状に延設されているが、第一携帯情報端末収納部１１側の本体部１０の周縁部から帯状に延設されてもよい。
【００２２】
本実施形態では、本体部１０に第一携帯情報端末収納部１１及び第二携帯情報端末収納部１２が設けられているが、第一携帯情報端末収納部１１と第二携帯情報端末収納部１２との間に重なるように、さらにＩＣカードや名刺入れ等の小物入れ、携帯情報端末収納部等を設けるようにしてもよい。これにより携帯情報端末用防水ケース２００の収納力がアップすることになる。本体部１０には、吊下げ部材を取り付けるための円孔１４を設けてもよい。円孔１４は、第一携帯情報端末収納部１１と第二携帯情報端末収納部１２との間の本体部１０に形成されることが好ましい。これにより、第一携帯情報端末収納部１１及び第二携帯情報端末収納部１２と接触せず容易に吊下げ部材を取り付けることができる。
【００２３】
第一携帯情報端末収納部１１は閉塞可能な第一開口部１５を有し、携帯情報端末を収納することができる。第一開口部１５は、第一携帯情報端末収納部１１の端部の少なくとも何れかに形成されていればよく、本実施形態では、図３に示すように、第一携帯情報端末収納部１１の端部の短手方向に設けられている。第一開口部１５は防水機構を備えているため、第一携帯情報端末収納部１１は外部からの水の侵入を防止することができる。第一開口部１５の防水機構としては、浸水を防止できるものであればよいが、閉塞可能なジッパー１６が好ましい。これにより、携帯情報端末を第一開口部１５から容易に出し入れすることができる。
【００２４】
第二携帯情報端末収納部１２は閉塞可能な第二開口部１７を有し、携帯情報端末を出し入れすることができる。第二開口部１７は第二携帯情報端末収納部１２の端部の短手方向及び当該短手方向から連続して長手方向の少なくとも一部に設けられている。第二開口部１７は防水機構を備えているため、第二携帯情報端末収納部１２は外部からの水の侵入を防止することができる。第二開口部１７の防水機構としては、浸水を防止できるものであればよいが、閉塞可能なジッパー１６が好ましい。これにより、携帯情報端末を第一開口部１５及び第二開口部１７から容易に出し入れすることができる。第二開口部１７のジッパー１６は、図３に示すように、淵のぎりぎりのところに取り付けられている。この場合、ジッパー１６を開放させるための取手がなくなるため、第二開口部１７を開放させることが難しくなる。そこで、ジッパー１６を開放させるための開放部材１８を設けてもよい。開放部材１８は第二開口部１７の第二携帯情報端末収納部１２側の端部に取り付けることが好ましい。これにより、開放部材１８を本体部１０に対して持ち上げてジッパー１６をはがすことにより、容易に第二開口部１７を開放させることができる。閉塞可能なジッパー１６は、図４（ａ）及び（ｂ）に示すように、内表面の一方に凹部１６ａと内表面の他方に凸部１６ｂが対抗するように形成され、凹部１６ａと凸部１６ｂとが嵌合することで、第一及び第二携帯情報端末収納部（１１，１２）の気密性が保たれ、外部からの水の侵入を防止している。
【００２５】
第一及び第二携帯情報端末収納部（１１，１２）は、携帯情報端末のタッチパネル領域と少なくとも重なる部分が透明となるように形成されている。透明となるように形成された部分は、外表面に作用する圧力や静電容量の変化を内表面に伝達できる素材で形成されている。これにより、第一及び第二携帯情報端末収納部（１１，１２）の内部に収納された携帯情報端末の画面１９を外部から視認できるとともに、操作することができる。
【００２６】
第一及び第二携帯情報端末収納部（１１，１２）は、携帯情報端末のカメラ部分と重なる部分が透明となるように形成されることが好ましい。これにより、写真などを撮影するときに第一及び第二携帯情報端末収納部（１１，１２）から携帯情報端末を取り出したりする必要がなくなる。また、第一及び第二携帯情報端末収納部（１１，１２）の内部に乾燥剤を入れるポケット等を設けることもできる。これにより、カメラの部分が曇って、撮影に影響が出ることを防止することができる。
【産業上の利用可能性】
【００２７】
本考案に係る携帯情報端末用防水ケースは、スマートフォンやタブレット等の携帯情報端末において利用することができる。
【符号の説明】
【００２８】
１，１０              本体部
２（１１，１２）      携帯情報端末収納部
３                    小物収納部
４，１３              係止部
６，１５              第一開口部
７，１６              ジッパー
９，１７              第二開口部
１８                  開放部材
１００，２００        携帯情報端末用防水ケース
【図１】
0003204509.tif 000003
【図２】
0003204509.tif 000004
【図３】
0003204509.tif 000005
【図４】
0003204509.tif 000006